(57)【要約】【課題】  作業能率を大きく低下させることなく効率的に行えるようにするとともに、資材コスト及び作業コストなどを含む全体の大幅なコストダウンを図る。【解決手段】  ブドウ棚Ｒにより栽培されるブドウＧの生育中における所定の時期に、当該ブドウＧに対してブドウ袋２を掛けて当該ブドウＧを覆う袋掛け工程（Ｓ３）を含む栽培方法であって、ブドウＧに対する袋掛けと同時に又は袋掛け後に、所定の目合の大きさに選定したネット部材Ｎにより構成したプロテクタ３によりブドウ袋２の少なくとも横方向の外面２ｆを覆い、このプロテクタ３を、ブドウ袋２に対して固定するプロテクタ装着工程（Ｓ４）を含ませてなる。【選択図】  図１
2020061990.tif 000002
【特許請求の範囲】
【請求項１】
ブドウ棚により栽培されるブドウの生育中における所定の時期に、当該ブドウに対してブドウ袋を掛けて当該ブドウを覆う袋掛け工程を含むブドウの栽培方法において、前記ブドウに対する袋掛けと同時に又は袋掛け後に、所定の目合の大きさに選定したネット部材により構成したプロテクタによりブドウ袋の少なくとも横方向の外面を覆い、このプロテクタを、前記ブドウ袋に対して固定するプロテクタ装着工程を含ませてなることを特徴とするブドウの栽培方法。
【請求項２】
前記プロテクタは、外力が付加されない自然状態における前記ネット部材の横方向の全周長を、前記ブドウ袋の横方向の全周長よりも短く選定し、かつ前記ネット部材を弾性変形可能に形成することを特徴とする請求項１記載のブドウの栽培方法。
【請求項３】
前記プロテクタは、前記ブドウ袋に対して予め固定することを特徴とする請求項１又は２記載のブドウの栽培方法。
【請求項４】
ブドウ棚により栽培されるブドウの生育中における所定の時期に、当該ブドウに掛けて当該ブドウを覆うブドウ袋を備えるブドウの鳥害防止具において、所定の目合の大きさに選定したネット部材により構成し、前記ブドウ袋の少なくとも横方向の外面を覆い、かつ前記ブドウ袋に対して固定するプロテクタを備えてなることを特徴とするブドウの鳥害防止具。
【請求項５】
前記プロテクタは、外力が付加されない自然状態における前記ネット部材の横方向の全周長を、前記ブドウ袋の横方向の全周長よりも短く選定し、かつ前記ネット部材を弾性変形可能に形成することを特徴とする請求項４記載のブドウの鳥害防止具。
【請求項６】
前記プロテクタは、一端と他端を開口したチューブ形のネット部材により構成することを特徴とする請求項４又は５記載のブドウの鳥害防止具。
【請求項７】
前記ネット部材は、目合の大きさとして、１目を、５〜１０〔ｍｍ〕の範囲に選定してなることを特徴とする請求項４，５又は６記載のブドウの鳥害防止具。
【請求項８】
前記ネット部材は、ピンク色又は濃いピンク色により着色してなることを特徴とする請求項４〜７のいずれかに記載のブドウの鳥害防止具。
【発明の詳細な説明】
【技術分野】
【０００１】
本発明は、ブドウに対してブドウ袋を掛けて当該ブドウを覆う袋掛け工程を含むブドウの栽培方法及び同方法に用いて好適な鳥害防止具に関する。
【背景技術】
【０００２】
一般に、ブドウの栽培においては、ブドウの粒が大きくなったタイミングでブドウ袋を掛け、ブドウの全体を覆うことにより鳥獣被害を防止している。しかし、この種のブドウ袋は、通常、紙により製作されるため、比較的容易に破断しやすい。したがって、使用開始から暫は効果があるとしても、カラスやムクドリ等の鳥類がクチバシによりブドウ袋を破き、中のブドウを食べれることを学習すると、次第に効果が薄れてしまう問題がある。このため、更なる対策が必要となり、現実的には音や光の鳥獣忌避手段を組合わせた対策も行われているが、このような鳥獣忌避手段も、初期の頃はある程度の効果が期待できるものの、学習効果により次第に恐れなくなる実情があり、鳥獣が学習効果を得たとしても被害を防止できる鳥獣害防止手段が必要となる。
【０００３】
従来、このような鳥獣害防止手段としては鳥獣ネットが知られている。この種の鳥獣ネットは、鳥獣が容易に侵入できないようにするため、比較的丈夫なネット（網）を使用し、果樹や果樹園の全体を囲むように設置される。さらに、この種のネットを応用した鳥獣害防止手段も提案されており、例えば、特許文献１には、鳥害防止装置が開示され、特許文献２には、果樹覆いシートを具備した果樹栽培用簡易ハウスが開示されている。
【０００４】
同文献１に開示される鳥害防止装置は、畑の中にまばらに点在する果実を、最小の資材と労力で効果的、且つ確実に鳥から守る鳥害防止キャップの提供を目的としたものであり、具体的には、果実の真上に、鳥害防止装置が設置出来る様にするため、キャップ下部に、脚を設け、ツル、技葉が茂る狭い間にも挿入出来る様にするとともに、通過口を設け、ツル、技葉がキャップ内外へ成長出来るようにし、キャップは、太陽光及び通気性を持たせるため、網目若しくは、穴構造を成し、且つカラスの様な屈強な嘴から守られる材質で、キャップが飛ばされない様に、脚は、抜け防止付きピンを使用して確実に固定、又果実はもとより、鳥により、畑が荒らされないように、キャップ表面及び頂上に光反射鏡を配置して、鳥が近づき難くしたものである。
【０００５】
また、同文献２に開示される果樹覆いシートを具備した果樹栽培用簡易ハウスは、天井シート部を中心とし、開閉シートを具備した窓シート部、雨除けシート部、空気導入シート部を左右対称になるように横方向に一体的に連設し、ｌ列の果樹群を包み込み可能な画積を有する平視矩形状を呈するように形成され、さらに、天井シート部、開閉シート及び雨除けシート部は通気性及び雨除け機能を有するシートよりなるとともに、窓シート部と空気導入シート部は通水性及び天井シート部よりは通気性の高いシートよりなり、開閉シートは窓シート部の全面を被覆可能に設けたものである。
【先行技術文献】
【特許文献】
【０００６】
【特許文献１】特開２００３−２３５４３５号公報
【特許文献２】特開２０１１−２２９５１７号公報
【発明の概要】
【発明が解決しようとする課題】
【０００７】
しかし、上述した従来の鳥獣害防止手段（鳥害防止装置，果樹栽培用簡易ハウス等）は、次のような問題点があった。
【０００８】
第一に、従来の鳥獣害防止手段は、いずれもスイカ等の露地栽培やリンゴ等の果樹栽培を想定したものであり、ブドウの栽培を想定したものではない。ブドウは、ブドウ棚を設置して栽培を行うため、ネットを利用する場合、ブドウ棚の側方における周囲を囲むことはできるとしても上方を覆うことは容易でない。仮に、ネットによりブドウ棚の上方を覆う場合、かなりの広さを覆うことになるため、ネットの接合やネットの支持が必要になるとともに、ブドウ棚の上方で作業することは容易でなく、設置に係わる作業には大変な労力が強いられるなど、必ずしも現実的な手法（手段）とはいえない。
【０００９】
第二に、従来の鳥獣害防止手段は、基本的に、保護対象物に対して、その回りの空間を囲み、鳥獣自体の侵入を阻止する思想により構築されているため、ネットの使用量が多くなる傾向があるとともに、ネットやこのネットを支持する支持構造等には、ある程度の強度が要求される。したがって、ネットや支持部材に係わる資材コスト及び設置に伴う作業コストなど、全体のコストアップが無視できない。
【００１０】
本発明は、このような背景技術に存在する課題を解決したブドウの栽培方法及び鳥害防止具の提供を目的とするものである。
【課題を解決するための手段】
【００１１】
本発明に係るブドウの栽培方法は、上述した課題を解決するため、ブドウ棚Ｒにより栽培されるブドウＧの生育中における所定の時期に、当該ブドウＧに対してブドウ袋２を掛けて当該ブドウＧを覆う袋掛け工程（Ｓ３）を含む栽培方法であって、ブドウＧに対する袋掛けと同時に又は袋掛け後に、所定の目合の大きさに選定したネット部材Ｎにより構成したプロテクタ３によりブドウ袋２の少なくとも横方向の外面２ｆを覆い、このプロテクタ３を、ブドウ袋２に対して固定するプロテクタ装着工程（Ｓ４）を含ませてなることを特徴とする。
【００１２】
また、本発明に係るブドウの鳥害防止具１は、ブドウ棚Ｒにより栽培されるブドウＧの生育中における所定の時期に、当該ブドウＧに掛けて当該ブドウＧを覆うブドウ袋２を備える鳥害防止具を構成するに際して、所定の目合の大きさに選定したネット部材Ｎにより構成し、ブドウ袋２の少なくとも横方向の外面２ｆを覆い、かつブドウ袋２に対して固定するプロテクタ３を備えてなることを特徴とする。
【００１３】
一方、本発明は、発明の好適な態様により、プロテクタ３は、外力が付加されない自然状態におけるネット部材Ｎの横方向の全周長を、ブドウ袋２の横方向の全周長よりも短く選定し、かつネット部材Ｎを弾性変形可能に形成することができる。なお、プロテクタ３は、ブドウ袋２に対して予め固定することもできる。また、プロテクタ３は、一端３ｐと他端３ｑを開口したチューブ形のネット部材Ｎにより構成することができる。さらに、ネット部材Ｎは、目合の大きさとして、１目３ｓを、５〜１０〔ｍｍ〕の範囲に選定することが望ましいとともに、ピンク色又は濃いピンク色により着色することが望ましい。
【発明の効果】
【００１４】
このような本発明に係るブドウの栽培方法及び鳥害防止具１によれば、次のような顕著な効果を奏する。
【００１５】
（１）  本発明に係るブドウの栽培方法は、ブドウＧに対する袋掛けと同時に又は袋掛け後に、所定の目合の大きさに選定したネット部材Ｎにより構成したプロテクタ３によりブドウ袋２の少なくとも横方向の外面２ｆを覆い、このプロテクタ３を、ブドウ袋２に対して固定するプロテクタ装着工程（Ｓ４）を含ませてなるため、ブドウ棚ＲによりブドウＧの栽培を行う場合であっても、個々のブドウＧに対するプロテクタ３の装着は、袋掛けと同様に、又はそれ以上に、容易に行うことができる。しかも、袋掛けと同時（又はその後）に行うことができるため、作業能率を大きく低下させることなく効率的に行うことができる。
【００１６】
（２）  本発明に係る鳥害防止具１は、所定の目合の大きさに選定したネット部材Ｎにより構成し、ブドウ袋２の少なくとも横方向の外面２ｆを覆い、かつブドウ袋２に対して固定するプロテクタ３を備えるため、個々のブドウＧを覆う簡易で小サイズのネット部材Ｎにより構成できるとともに、プロテクタ３を支持する他の支持部材等は不要になり、資材コスト及び設置に伴う作業コストなどを含む全体の大幅なコストダウンを図ることができる。
【００１７】
（３）  好適な態様により、プロテクタ３を構成するに際し、外力が付加されない自然状態におけるネット部材Ｎの横方向の全周長を、ブドウ袋２の横方向の全周長よりも短く選定し、かつネット部材Ｎを弾性変形可能に形成すれば、ネット部材Ｎの中間部がブドウ袋２の周面に圧接し、かつネット部材Ｎの上部側及び下部側を弾性変形による小径化により、ブドウ袋２の上端側と下端側に係止可能になるため、プロテクタ３をブドウ袋２の周面に掛けるのみで、ブドウ袋２に対する装着作業と固定作業が同時に終了するため、プロテクタ３の装着は、極めて容易かつ能率的に行うことができる。
【００１８】
（４）  好適な態様により、プロテクタ３を、ブドウ袋２に対して予め固定すれば、袋掛けとプロテクタ３の装着を同時に行うことができるため、いわば、通常の袋掛けを行う作業のみで同時にネット掛けも行うことができるなど、作業性の観点から作業の容易性及び能率性を飛躍的に高めることができる。
【００１９】
（５）  好適な態様により、プロテクタ３を構成するに際し、一端３ｐと他端３ｑを開口したチューブ形のネット部材Ｎにより構成すれば、軸方向に長い連続したチューブ材を一定間隔おきに切断するのみで容易かつ低コストに製作できるとともに、使用に際しても容易に使用することができる。
【００２０】
（６）  好適な態様により、ネット部材Ｎにおける目合の大きさとして、１目３ｓを、５〜１０〔ｍｍ〕の範囲に選定すれば、カラス等の鳥類のクチバシの挿入、即ち、クチバシによる採餌動作を阻止できるため、鳥害を有効に回避してブドウＧに対する確実な保護を図ることができる。
【００２１】
（７）  好適な態様により、ネット部材Ｎを、ピンク色又は濃いピンク色により着色すれば、経験上、鳥類（カラス，ムクドリ等）に対する忌避色と思われる着色を付加することにより、鳥類に対する忌避効果をより高めることができる。
【図面の簡単な説明】
【００２２】
【図１】本発明の好適実施形態に係る鳥害防止具の使用状態を示す外観正面図、
【図２】同鳥害防止具の使用状態の断面構造を示す正面図、
【図３】同鳥害防止具に備えるプロテクタの詳細説明図、
【図４】本発明の好適実施形態に係るブドウの栽培方法をフローチャートで示した工程図、
【図５】同栽培方法における袋掛け及びプロテクタの装着の第一説明図、
【図６】同栽培方法における袋掛け及びプロテクタの装着の第二説明図、
【図７】同栽培方法における袋掛け及びプロテクタの装着の第三説明図、
【図８】同栽培方法におけるブドウ袋とプロテクタをブドウ軸に固定する状態を示す拡大図、
【図９】本発明に係る鳥害防止具の変更実施形態を示す外観正面図、
【発明を実施するための形態】
【００２３】
次に、本発明に係る好適実施形態を挙げ、図面に基づき詳細に説明する。
【００２４】
まず、本実施形態に係るブドウの鳥害防止具１の構成について、図３及び図５を参照して説明する。
【００２５】
鳥害防止具１は、基本構成として、図５に示すように、ブドウ袋２とプロテクタ３を備える。
【００２６】
ブドウ袋２は、鳥獣害防止用として一般に販売されている公知のブドウ袋を利用可能であり、実施形態では、一般的な公知のブドウ袋を一例として示す。例示のブドウ袋２は、図５に示すように、一枚の矩形の紙材を二つ折りにし、一方の側部における端辺同士が貼着されるとともに、下端部の端辺同士が貼着されることにより、上端口部２ｕが開口する袋状に構成される。図５中、Ｋｂは折畳み部、Ｋｐｊは側辺接着部、Ｋｄｊをそれぞれ示す。例示するブドウ袋２のサイズは、横寸法Ｌｐ（図５）が２０〔ｃｍ〕，縦寸法が３０〔ｃｍ〕である。したがって、ブドウ袋２の全周長は概ねＬｐ×２となる。
【００２７】
この際、側辺接着部Ｋｐｊの上端付近には、ブドウＧのブドウ軸Ｇｓに取付けるための固定具４を固定する。例示の固定具４は、捩ることによりブドウ軸Ｇｓに巻き付けて固定する細長い金属製の固定ワイヤ（又は固定プレート）１１であり、側辺接着部Ｋｐｊに挟まれることにより側辺に沿って固定される。この場合、上述のように、既存のブドウ袋２をそのまま利用することも可能であるが、本実施形態に係る鳥害防止具１を構成する専用のブドウ袋２として製作してもよい。
【００２８】
一方、プロテクタ３は、図３に示すように、所定の目合の大きさに選定したネット部材Ｎにより構成する。この場合、プロテクタ３は、ブドウ袋２の少なくとも横方向の外面２ｆを覆うことができるとともに、一端（上端）３ｐと他端（下端）３ｑを開口したチューブ形のネット部材Ｎにより構成することが望ましい。このように構成すれば、軸方向に長い連続したチューブ材を一定間隔おきに切断するのみで容易かつ低コストに製作できるとともに、使用に際しても容易に使用することができる。
【００２９】
ネット部材Ｎの形成素材は、特定の素材に限定されるものではなく、各種素材を利用できるが、強度に優れ、かつ低コストに製作できるものが望ましい。例示の素材は、ポリエチレン（ＰＥ）を用いたものである。したがって、ネット部材Ｎは、合成樹脂素材による一体成形が可能である。また、ネット部材Ｎは、一部抽出拡大図で示すように、目合の大きさ、即ち、１目３ｓの大きさＬｅを、７〜８〔ｍｍ〕に選定した。なお、１目３ｓの大きさＬｅは、このようなディメンションに限定されるものではなく、望ましい範囲として、５〜１０〔ｍｍ〕の範囲を選定できる。このように選定すれば、カラス等の鳥類のクチバシの挿入、即ち、クチバシによる採餌動作を阻止できるため、鳥害を有効に回避してブドウＧに対する確実な保護を図れる利点がある。さらに、例示のネット部材Ｎにおける網材の太さＬｓは、０．２〜０．３〔ｍｍ〕である。
【００３０】
例示するプロテクタ３は、軸方向の長さＬｍが３０〔ｃｍ〕、径方向に潰したときの長さであって、外力が付加されない自然状態におけるネット部材Ｎの横方向の寸法Ｌｎは１２〔ｃｍ〕程度である。したがって、ネット部材Ｎの全周長は概ねＬｎ×２となる。これにより、径方向Ｄｄに引張ることにより伸長させた長さＬｋは、当該長さＬｎに対して概ね３倍程度まで伸長させることができるとともに、ＰＥ素材により一体成形されるため、径方向Ｄｄに弾性伸縮（弾性変形）可能となる。
【００３１】
また、ネット部材Ｎは、ピンク色又は濃いピンク色により着色することが望ましい。ピンク色、より望ましくは、濃いピンク色に選定すれば、経験上、鳥類（カラス，ムクドリ等）に対する忌避色と思われる着色を付加できるため、鳥類に対する忌避効果をより高めることができる。
【００３２】
このように、本実施形態に係る鳥害防止具１は、基本構成として、所定の目合の大きさに選定したネット部材Ｎにより構成し、ブドウ袋２の少なくとも横方向の外面２ｆを覆い、かつブドウ袋２に対して固定するプロテクタ３を備えるため、個々のブドウＧを覆う簡易で小サイズのネット部材Ｎにより構成できるとともに、プロテクタ３を支持する他の支持部材等は不要になり、資材コスト及び設置に伴う作業コストなどを含む全体の大幅なコストダウンを図ることができる。
【００３３】
次に、本実施形態に係る鳥害防止具１の使用方法を含む本実施形態に係るブドウの栽培方法について、各図を参照しつつ図４に示すフローチャートに従って説明する。
【００３４】
ブドウＧの栽培に際しては、まず、前期間におけるブドウ栽培が行われる（ステップＳ１）。なお、ブドウＧの栽培は、図１に示すようなブドウ棚Ｒにより行われる。
【００３５】
前期間におけるブドウ栽培プロセスに基づき、ブドウ粒が所定の大きさに生育したなら、図５に示すように、ブドウＧに対してブドウ袋２を掛ける袋掛けを行う（ステップＳ２，Ｓ３）。なお、袋掛けのタイミングは、一般に、摘粒作業が終了したタイミングで行われる。袋掛けに際しては、図５に示すように、ブドウ袋２の上端口部２ｕを開けて広げ、矢印Ｄｇの方向に向けることによりブドウ袋２の中にブドウＧを収容する。ブドウＧを収容したなら、ブドウ袋２の上端口部２ｕにおける固定ワイヤ１１の存在する側に対して反対側を、固定ワイヤ１１側へ窄めるとともに、図８に示すように、固定ワイヤ１１がブドウ軸Ｇｓに巻き付つくように、上端口部２ｕを捩るように操作する。これにより、ブドウ袋２の上端口部２ｕは、同図に示すように、ブドウ軸Ｇｓに対して一緒に巻き付けられるとともに、固定ワイヤ１１により、その状態が固定される捩り固定部１３が形成される（ステップＳ４）。この状態を図７に示している。
【００３６】
次いで、図５に示すように、用意したプロテクタ３の上端３ｐを矢印Ｄｃ…方向に広げ、矢印Ｄｒ…方向からブドウ袋２の外面２ｆに装着するプロテクタ３の装着作業を行う（ステップＳ５）。例示のプロテクタ３はチューブ形に形成されるため、プロテクタ３の装着により、ブドウ袋２の外面２ｆ、特に、横方向の外面２ｆがプロテクタ３により覆われる。図７はこの状態を示している。
【００３７】
この場合、外力が付加されない自然状態におけるネット部材Ｎの横方向の全周長（≒Ｌｎ×２）は、ブドウ袋２の横方向の全周長（≒Ｌｐ×２）よりも短く選定し、かつネット部材Ｎを弾性変形可能に形成してあるため、ブドウ袋２に対してプロテクタ３を装着した際には、ネット部材Ｎの中間部がブドウ袋２の周面に圧接し、かつネット部材Ｎの上部側及び下部側を弾性変形による小径化により、ブドウ袋２の上端側と下端側に係止可能になるため、プロテクタ３をブドウ袋２の周面に掛けるのみで、ブドウ袋２に対する装着作業と固定作業が同時に完了する。このように、プロテクタ３の装着は、極めて容易かつ能率的に行うことができる。
【００３８】
また、装着したプロテクタ３は、ブドウ袋２に対して、特に、上下方向における位置合わせを行う（ステップＳ６）。この場合、プロテクタ３の上端部３ｐは、図７に示すように、ブドウ袋２の捩り固定部１３に対して稍下方に位置さ、後述する傘掛け（傘１２）の邪魔にならないよう考慮することが望ましい。
【００３９】
次いで、傘掛けを行う（ステップＳ７）。図７に、傘１２を示す。例示の傘１２は、一枚の正方形に形成した傘紙Ｐａを用いたものであり、一辺における中央の位置から傘紙Ｐａの中心位置に沿った切込部１２ｃを設けられている。したがって、傘１２を装着する場合には、図７に示すように、傘紙Ｐａの切込部１２ｃを、捩り固定部１３を挟む態様となるように矢印Ｄａ方向から装着し、装着した後に、切込部１２ｃの両縁部同士を重ねて固定すればよい。
【００４０】
そして、袋掛け，プロテクタ装着，傘掛け，の終了したブドウＧは、この後、後期間におけるブドウ栽培が行われる（ステップＳ８）。さらに、ブドウ栽培における後期間が終了し、収穫時期になったなら成長の終了したブドウＧに対する収穫作業を行う（ステップＳ９，Ｓ１０）。
【００４１】
よって、このような本実施形態に係るブドウＧの栽培方法（鳥害防止具１）によれば、基本的な手法として、ブドウＧに対する袋掛けと同時に又は袋掛け後に、所定の目合の大きさに選定したネット部材Ｎにより構成したプロテクタ３によりブドウ袋２の少なくとも横方向の外面２ｆを覆い、このプロテクタ３を、ブドウ袋２に対して固定するプロテクタ装着工程（Ｓ４）を含ませてなるため、ブドウ棚ＲによりブドウＧの栽培を行う場合であっても、個々のブドウＧに対するプロテクタ３の装着は、袋掛けと同様に、又はそれ以上に、容易に行うことができる。しかも、袋掛けと同時（又はその後）に行うことができるため、作業能率を大きく低下させることなく効率的に行うことができる。
【００４２】
換言すれば、ブドウＧは、ブドウ袋２により覆われる通常の保護手法に加え、更に、ブドウ袋２の少なくとも横方向の外面２ｆがプロテクタ３により覆われるため、従来のように、ブドウＧに対してブドウ袋２のみを掛け、ブドウ棚Ｒの全体を鳥獣ネットで囲む手法に比べ、鳥類による被害を確実に防止することができ、この効果の有効性は、実際の実施において確認することができた。しかも、使用する鳥害防止具１は、個々のブドウＧを覆う簡易で小サイズのネット部材Ｎにより構成できるため、プロテクタ３を支持する他の支持部材等は不要になり、資材コスト及び設置に伴う作業コストなどを含む全体の大幅なコストダウンを図れる利点がある。
【００４３】
他方、図９（ａ），（ｂ）には、本発明の変更実施形態に係る鳥害防止具１を示す。図９（ａ）は、プロテクタ３自体に、前述した固定ワイヤ１１と同様の固定ワイヤ（又は固定プレート）１１ｅを用いた固定具４を設けたものである。この場合、固定ワイヤ１１ｅを図９（ａ）に示す位置において、例えばプロテクタ３を構成するネット部材Ｎの目に通し、両端を折り曲げる等により固定することができる。このようなプロテクタ３を用いれば袋掛けとプロテクタ３の装着を別々の作業として行うことができるとともに、プロテクタ３の装着（固定）をより確実に行うことができる。なお、固定ワイヤ１１ｅを設けることなく、ブドウ紙２の固定ワイヤ（又は固定プレート）１１を兼用して、即ち、ブドウ紙２とネット部材Ｎを一緒に捩ることにより固定することも可能である。このため、図９（ａ）に示すネット部材Ｎの軸方向長さは、図１に示したネット部材Ｎに対して長く選定する。
【００４４】
図９（ｂ）は、鳥害防止具１を構成するに際し、プロテクタ３を、ブドウ袋２に対して予め固定し、一体化させて構成したものである。具体的には、未使用のブドウ袋２の外面２ｆに、プロテクタ３を装着するとともに、図９（ｂ）に示すように、ブドウ袋２とプロテクタ３を位置合わせした状態において両者間を固定したものである。例示の場合、二個所の位置に接着剤を塗布し、ブドウ袋２とプロテクタ３間を二個所の接着部１５，１５により固定したものである。したがって、この場合のネット部材Ｎは、弾性変形可能に形成する必要はなく、また、横方向の全周長は、ブドウ袋２の横方向の全周長よりも稍長く選定することにより実施できる。
【００４５】
前述した図１〜図８の実施形態では、プロテクタ３を、ブドウ袋２に対して別体に構成したため、既存のブドウ袋２との組合せ使用ができるため、実施に際しては、いわば一部品となるプロテクタ３のみを追加すれば足り、実施の容易化及び低コスト化に寄与できる。しかも、使用に際しては、ブドウ袋２とプロテクタ３の任意の組合わせが可能になるとともに、袋掛けとプロテクタ３の装着を同時に行ってもよいし、袋掛けの後にプロテクタ３を装着してもよいなど、使用（実施）時における自由度を高めことができる。
【００４６】
これに対して、図９（ｂ）に示す変更実施形態では、プロテクタ３を、ブドウ袋２に対して予め固定するため、袋掛けとプロテクタ３の装着を同時に行うことができ、いわば、通常の袋掛けを行う作業のみで同時にネット掛けも行うことができるなど、作業性の観点から作業の容易性及び能率性を飛躍的に高めることができる利点がある。
【００４７】
なお、図９（ａ），（ｂ）に示すプロテクタ３及びブドウ袋２は、図１〜図８に使用したプロテクタ３及びブドウ袋２と寸法を除いて同一のものを使用することができる。したがって、図９（ａ），（ｂ）において、図１〜図８と同一部分には同一符号を付してその構成を明確にするとともに、その詳細な説明は省略する。
【００４８】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００４９】
例えば、ブドウＧは、特定のブドウ品種に限定されるものではなく、各種ブドウ品種に適用できる。また、固定具４として固定ワイヤ（固定プレート）１１，１１ｅを例示したが、ブドウ袋２及びプロテクタ３を、ブドウ軸Ｇｓに対して直接又は間接的に固定できるものであれば各種固定具４を適用できる。他方、プロテクタ３は、一端３ｐと他端３ｑを開口したチューブ形に形成した場合を示したが、他端（下端）３ｑを閉塞した袋状に形成してもよい。また、ネット部材Ｎの目合の大きさとして、１目３ｓを、５〜１０〔ｍｍ〕の範囲に選定することが望ましいが、この範囲を外れる場合を排除するものではない。さらに、ネット部材Ｎの形成素材として、ＰＥを用いた例を示したが、各種合成樹脂素材をはじめ、各種天然繊維素材又は合成素材を適用できる。
【産業上の利用可能性】
【００５０】
本発明に係るブドウの栽培方法及び鳥害防止具は、ブドウに対してブドウ袋を掛けて当該ブドウを覆う袋掛け工程を含む各種ブドウに対する各種栽培方法に利用できる。
【符号の説明】
【００５１】
１：鳥害防止具，２：ブドウ袋，２ｆ：ブドウ袋の外面，３：プロテクタ，３ｓ：１目，３ｐ：プロテクタの一端，３ｑ：プロテクタの他端，Ｎ：ネット部材，Ｒ：ブドウ棚，Ｇ：ブドウ，（Ｓ３）：袋掛け工程，（Ｓ４）：プロテクタ装着工程
【図１】
2020061990.tif 000003
【図２】
2020061990.tif 000004
【図３】
2020061990.tif 000005
【図４】
2020061990.tif 000006
【図５】
2020061990.tif 000007
【図６】
2020061990.tif 000008
【図７】
2020061990.tif 000009
【図８】
2020061990.tif 000010
【図９】
2020061990.tif 000011